【手続補正書】
【提出日】令和2年10月27日(2020.10.27)
【手続補正１】
【補正対象書類名】特許請求の範囲
【補正対象項目名】全文
【補正方法】変更
【補正の内容】
【特許請求の範囲】
【請求項１】
少なくとも約９７重量％の３種の化合物のブレンドを含む冷媒であって、前記ブレンドが、
４８重量％〜５１重量％のジフルオロメタン（ＨＦＣ−３２）、
９．５重量％〜１１．５重量％のペンタフルオロエタン（ＨＦＣ−１２５）、及び
３６．５重量％〜４０．５重量％のトリフルオロヨードメタン（ＣＦ３Ｉ）からなり、
パーセンテージが、前記ブレンド中の前記３種の化合物の総重量に基づき、各化合物の量が±２重量％、好ましくは±１重量％、より好ましくは±０．５重量％の量で変動し得る、冷媒。
【請求項２】
前記パーセンテージが、前記ブレンド中の前記３種の化合物の総重量に基づき、ＨＦＣ−３２の量は±１重量％で変動し得、ＨＦＣ−１２５の量は±２重量％で変動し得、ＣＦ３Ｉの量は±０．５重量％で変動し得る、請求項１に記載の冷媒。
【請求項３】
請求項１に記載の冷媒であって、前記冷媒が３種の化合物のブレンドからなる冷媒であり、前記ブレンドが、
４８重量％〜５１重量％のジフルオロメタン（ＨＦＣ−３２）、
９．５重量％〜１１．５重量％のペンタフルオロエタン（ＨＦＣ−１２５）、及び
３６．５重量％〜４０．５重量％のトリフルオロヨードメタン（ＣＦ３Ｉ）からなり、
パーセンテージが、前記ブレンド中の前記３種の化合物の総重量に基づき、ＨＦＣ−３２の量は±１重量％で変動し得、ＨＦＣ−１２５の量は±２重量％で変動し得、ＣＦ３Ｉの量は±０．５重量％で変動し得る、冷媒。
【請求項４】
請求項１〜３のいずれかに記載の冷媒であって、前記ブレンドが、
５０重量％のジフルオロメタン（ＨＦＣ−３２）、
１１．５重量％のペンタフルオロエタン（ＨＦＣ−１２５）、及び
３８．５重量％のトリフルオロヨードメタン（ＣＦ３Ｉ）からなり、
パーセンテージが、前記ブレンド中の前記３種の化合物の総重量に基づき、ＨＦＣ−３２の量は±１重量％で変動し得、ＨＦＣ−１２５の量は±２重量％で変動し得、ＣＦ３Ｉの量は±２重量％で変動し得る、冷媒。
【請求項５】
少なくとも約９７重量％の３種の化合物のブレンドを含む冷媒であって、前記ブレンドが、
４８重量％のジフルオロメタン（ＨＦＣ−３２）、
１１．５重量％のペンタフルオロエタン（ＨＦＣ−１２５）、及び
４０．５重量％のトリフルオロヨードメタン（ＣＦ３Ｉ）からなり、
パーセンテージが、前記ブレンド中の前記３種の化合物の総重量に基づき、ＨＦＣ−３２の量は±１重量％で変動し得、ＨＦＣ−１２５の量は±２重量％で変動し得、ＣＦ３Ｉの量は±２重量％で変動し得る、冷媒。
【請求項６】
前記パーセンテージが、前記ブレンド中の前記３種の化合物の総重量に基づき、ＨＦＣ−３２の量は±１重量％で変動し得、ＨＦＣ−１２５の量は±１重量％で変動し得、ＣＦ３Ｉの量は±１重量％で変動し得る、請求項５に記載の冷媒。
【請求項７】
前記パーセンテージが、前記ブレンド中の前記３種の化合物の総重量に基づき、ＨＦＣ−３２の量は±０．５重量％で変動し得、ＨＦＣ−１２５の量は±０．５重量％で変動し得、ＣＦ３Ｉの量は±０．５重量％で変動し得る、請求項５又は６に記載の冷媒。
【請求項８】
３種の化合物のブレンドから本質的になる、請求項１〜７のいずれかに記載の冷媒。
【請求項９】
３種の化合物のブレンドからなる、請求項１〜７のいずれかに記載の冷媒。
【請求項１０】
請求項１〜９のいずれかに記載の冷媒を含む熱伝達組成物であって、好ましくは、冷媒が熱伝達組成物の４０重量％超を構成する、熱伝達組成物。
【請求項１１】
さらに安定化剤組成物を含む、請求項１０に記載の熱伝達組成物であって、
安定化剤組成物が、熱伝達組成物に対して約０．００１重量％〜約５重量％の量のＢＨＴを含むか、または、
安定化剤組成物が、約０．００１重量％〜約５重量％の量のＢＨＴからなる、熱伝達組成物。
【請求項１２】
ポリオールエステル（ＰＯＥ）、ポリアルキレングリコール（ＰＡＧ）、ＰＡＧ油、シリコーン油、鉱物油、アルキルベンゼン（ＡＢ）、ポリビニルエーテル（ＰＶＥ）、及びポリ（アルファ−オレフィン）（ＰＡＯ）からなる群から選択される潤滑剤を更に含む、請求項１０又は１１に記載の熱伝達組成物。
【請求項１３】
潤滑剤がポリオールエステル（ＰＯＥ）である、請求項１２に記載の熱伝達組成物。
【請求項１４】
潤滑剤がポリビニルエーテル（ＰＶＥ）である、請求項１２に記載の熱伝達組成物。
【請求項１５】
請求項１０に記載の熱伝達組成物であって、
ａ）熱伝達組成物が請求項１〜９のいずれかに記載の冷媒から本質的になるか、または
ｂ）熱伝達組成物が請求項１〜９のいずれかに記載の冷媒及び請求項１１に記載の安定化剤組成物から本質的になるか、または
ｃ）熱伝達組成物が請求項１〜９のいずれかに記載の冷媒、請求項１１に記載の安定化剤組成物、及び請求項１２〜１４のいずれかに記載の潤滑剤から本質的になる、熱伝達組成物。
【請求項１６】
７５０以下の地球温暖化係数（ＧＷＰ）を有する請求項１０〜１５のいずれかに記載の熱伝達組成物、および／または、
０．０５以下、好ましくは０．０２以下、より好ましくはゼロのオゾン破壊係数（ＯＤＰ）を有する、請求項１０〜１５のいずれかに記載の熱伝達組成物。
【請求項１７】
蒸発器、凝縮器、及び圧縮機を備える熱伝達システムにおける冷却方法であって、プロセスが、ｉ）請求項１０〜１６のいずれか一項に記載の熱伝達組成物を凝縮するステップと、ｉｉ）冷却される本体又は物品の付近で前記組成物を蒸発させるステップと、を含み、前記熱伝達システムの前記蒸発器温度は、約−４０℃〜約１０℃の範囲内である、方法。
【請求項１８】
蒸発器、凝縮器、及び圧縮機を備える熱伝達システムにおける加熱方法であって、プロセスが、ｉ）加熱される本体又は物品の付近で、請求項１０〜１６のいずれか一項に記載の熱伝達組成物を凝縮するステップと、ｉｉ）前記組成物を蒸発させるステップと、を含み、前記熱伝達システムの前記蒸発器温度は、約−３０℃〜約５℃の範囲内である、方法。
【請求項１９】
請求項１７又は１８に記載の方法であって、前記熱伝達システムが、空調システムであり、
より好ましくは、前記空調システムが、モバイル空調システム、特に自動車用空調システム、モバイルヒートポンプ、特に電気自動車用ヒートポンプ、冷却器、特に容積型冷却器、とりわけ空冷又は水冷直接膨張式冷却器、住宅用空調システム、特にダクトスプリット型又はダクトレススプリット型空調システム、住宅用ヒートポンプ、住宅用空気−水ヒートポンプ／温水システム産業用空調システム、商用空調システム、特にパッケージ式ルーフトップユニット又は可変冷媒流（ＶＲＦ）システム、及び商用の空気熱源、水熱源、又は土壌熱源ヒートポンプシステムであるか、または
前記空調システムが、住宅用空調システム（冷却のために約０〜約１０℃、特に約７℃、及び／又は加熱のために約−３０〜約５℃、特に約０．５℃の範囲の蒸発器温度を有する）、特に、往復動式、回転式（ローリングピストン若しくは回転弁）、又はスクロール式圧縮機を有する住宅用空調システムであるか、または
前記空調システムが、空冷式冷却器（約０〜約１０℃範囲、特に約４．５℃の蒸発器温度を有する）、特に、容積型圧縮機を有する空冷式冷却器、とりわけ往復動式又はスクロール式圧縮機を有する空冷式冷却器であるか、または
前記空調システムが、住宅用空気−水ヒートポンプ温水システム（約−２０〜約３℃の範囲、特に約０．５℃の蒸発器温度を有する）であるか、または
前記空調システムが、住宅用空気−水ヒートポンプ温水システム（約−３０〜約５℃の範囲、特に約０．５℃の蒸発器温度を有する）であるか、または
前記空調システムが、住宅用空調システム（約０〜１０℃の範囲の蒸発器温度を有する）であるか、または
前記空調システムが、住宅用ヒートポンプシステム（約−２０〜約３℃又は約−３０〜約５℃の範囲の蒸発器温度を有するであるか、または
前記空調システムが、商用空調システム（約０〜約１０℃の範囲の蒸発器温度を有する）である、方法。
【請求項２０】
熱伝達システム中に収容された既存の冷媒を交換する方法であって、前記既存の冷媒の少なくとも一部を前記システムから取り出すことであって、前記既存の冷媒がＲ−４１０Ａである、取り出すことと、請求項１〜９のいずれか一項に記載の冷媒又は１０〜１６のいずれか一項に記載の熱伝達組成物を前記システム内に導入することによって、前記既存の冷媒の少なくとも一部を置き換えることと、を含み、
好ましくは、前記熱伝達システムが、モバイル空調システム、特に自動車用空調システム、モバイルヒートポンプ、特に電気自動車用ヒートポンプ、冷却器、特に容積型冷却器、とりわけ空冷又は水冷直接膨張式冷却器、住宅用空調システム、特にダクトスプリット型又はダクトレススプリット型空調システム、住宅用ヒートポンプ、住宅用空気−水ヒートポンプ／温水システム産業用空調システム、商用空調システム、特にパッケージ式ルーフトップユニット又は可変冷媒流（ＶＲＦ）システム、及び商用の空気熱源、水熱源、又は土壌熱源ヒートポンプシステムからなる群から選択される空調システムである、方法。
【請求項２１】
熱伝達システムであって、流体連通した圧縮機、凝縮器、及び蒸発器と、請求項１０〜１６のいずれか一項に記載の熱伝達組成物とを前記システム中に含み、前記凝縮器が、約＋２０℃〜約＋７０℃の動作温度を有し、前記蒸発器が、約−４０℃〜約＋１０℃の動作温度を有し、
前記熱伝達システムが、空調システム、モバイル空調システム、特に自動車用空調システム、モバイルヒートポンプ、特に電気自動車用ヒートポンプ、冷却器、特に容積型冷却器、とりわけ空冷又は水冷直接膨張式冷却器、住宅用空調システム、特にダクトスプリット型又はダクトレススプリット型空調システム、住宅用ヒートポンプ、住宅用空気−水ヒートポンプ／温水システム産業用空調システム、商用空調システム、特にパッケージ式ルーフトップユニット又は可変冷媒流（ＶＲＦ）システム、及び商用の空気熱源、水熱源、又は土壌熱源ヒートポンプシステムであり、
好ましくは、前記熱伝達システムが、住宅用空調システム（冷却のために約０〜約１０℃の範囲、特に約７℃、及び／又は加熱のために約−３０〜約５℃の範囲、特に約０．５℃の蒸発器温度を有する）であるか、または
前記熱伝達システムが、空冷式冷却器（約０〜約１０℃範囲、特に約４．５℃の蒸発器温度を有する）、特に、容積型圧縮機を有する空冷式冷却器、とりわけ往復動式又はスクロール式圧縮機を有する空冷式冷却器であるか、または
前記熱伝達システムが、住宅用空気−水ヒートポンプ温水システム（約−２０〜約３℃の範囲、特に約０．５℃の蒸発器温度を有する）であるか、または
前記熱伝達システムが、住宅用空気−水ヒートポンプ温水システム（約−３０〜約５℃の範囲、特に約０．５℃の蒸発器温度を有する）であるか、または
前記熱伝達システムが、中温冷凍システム（約−１２〜約０℃の範囲、特に約−８℃の蒸発器温度を有する）であるか、または
前記熱伝達システムが、低温冷凍システム（約−４０〜約−１２℃の範囲、特に約−２３℃、又は好ましくは約−３２℃の蒸発器温度を有する）であるか、または
前記熱伝達システムが、住宅用空調システム（約０〜１０℃の範囲の蒸発器温度を有する）であるか、または
前記熱伝達システムが、住宅用ヒートポンプシステム（約−２０〜約３℃又は約−３０〜約５℃の範囲の蒸発器温度を有するであるか、または
前記熱伝達システムが、商用空調システム（約０〜約１０℃の範囲の蒸発器温度を有する）である、熱伝達システム。
【請求項２２】
冷却器における、または
容積型冷却器における、または
空冷式冷却器における、または
水冷直接膨張式冷却器における、または
定置型冷却器における、または
住宅用空調における、または
産業用空調における、または
商用空調における、または
商用冷凍における、または
商用冷蔵庫における、または
商用冷凍庫における、または
自動販売機における、請求項１０〜１６のいずれか一項に記載の熱伝達組成物の使用。
【請求項２３】
商用空調における、請求項２２に記載の使用。
【請求項２４】
住宅用空調における、請求項２２に記載の使用。
【請求項２５】
空冷式冷却器における、請求項２２に記載の使用。